(57)【特許請求の範囲】
【請求項１】
平板状で矩形状の圧電部材の一面に前後に貫通する一定深さの多数の溝を平行に形成した圧電体アクチュエータを形成し、この圧電体アクチュエータを前記溝に連通して共通液室を形成する凹部を有するヘッド基板に固定し、前記凹部を含む前記ヘッド基板の一面と前記圧電体アクチュエータの溝内とにそれぞれが互いに分離されて平行に配列された電極層による導電部を形成し、前記圧電体アクチュエータと前記ヘッド基板との一面に天板を固定して前記共通液室とインク室とを形成するとともに前記圧電体アクチュエータと前記ヘッド基板との端面に前記インク室に連通するインク吐出口が形成されたノズル板を固定したことを特徴とするインクジェットプリンタヘッドの製造方法。
【請求項２】
フォトエッチングプロセスにより導電部を溝毎に分離した後に圧電体アクチュエータの共通液室側の端面部に被着された電極層をレーザビームで切断分離するようにしたことを特徴とする請求項１記載のインクジェットプリンタヘッドの製造方法。
【請求項３】
平板状で矩形状の圧電部材の一面に前後に貫通する一定深さの多数の溝を平行に形成した圧電体アクチュエータと、この圧電体アクチュエータが取り付けられる取付段部と前記溝に連通して共通液室を形成する凹部とを有するヘッド基板と、前記凹部を含む前記ヘッド基板の一面と前記圧電体アクチュエータの溝内とにそれぞれが互いに分離されて平行に配列された電極層による導電部と、前記圧電体アクチュエータと前記ヘッド基板との一面に固定されて前記共通液室とインク室とを形成する天板と、前記インク室に連通するインク吐出口が形成されて前記圧電体アクチュエータと前記ヘッド基板との端面に固定されたノズル板とよりなることを特徴とするインクジェットプリンタヘッド。
【請求項４】
平板状で矩形状の圧電部材の一面に前後に貫通する一定深さの多数の溝を平行に形成した圧電体アクチュエータを形成し、前記溝を等間隔に配列した状態で複数個の前記圧電体アクチュエータを支持基板上に連設固定して長さの大きい圧電体組立を形成し、この圧電体組立を前記溝に連通して共通液室を形成する凹部を有するヘッド基板に固定し、前記凹部を含む前記ヘッド基板の一面と前記圧電体組立の溝内とにそれぞれが互いに分離されて平行に配列された電極層による導電部を形成し、前記圧電体組立と前記ヘッド基板との一面に天板を固定して前記共通液室とインク室とを形成するとともに前記圧電体組立と前記ヘッド基板との端面に前記インク室に連通するインク吐出口が形成されたノズル板を固定したことを特徴とするインクジェットプリンタヘッドの製造方法。
【請求項５】
平板状で矩形状の圧電部材の一面に前後に貫通する一定深さの多数の溝を平行に形成した複数個の圧電体アクチュエータを支持基板上に連設固定して形成した長さの大きい圧電体組立と、この圧電体組立が取り付けられる取付段部と前記溝に連通して共通液室を形成する凹部とを有するヘッド基板と、前記凹部を含む前記ヘッド基板の一面と前記圧電体組立の溝内とにそれぞれが互いに分離されて平行に配列された電極層による導電部と、前記圧電体組立と前記ヘッド基板との一面に固定されて前記共通液室とインク室とを形成する天板と、前記インク室に連通するインク吐出口が形成されて前記圧電体組立と前記ヘッド基板との端面に固定されたノズル板とよりなることを特徴とするインクジェットプリンタヘッド。
【発明の詳細な説明】
【０００１】
【発明の属する技術分野】
本発明は、圧電部材を用いたオンデマンド方式のインクジェットプリンタヘッド及びその製造方法に関するものである。
【０００２】
【従来の技術】
従来のインクジェットプリンタ等に利用されているオンデマンド方式の印字ヘッドとして、電気−熱変換素子である発熱素子を利用したバブルジェット方式の印字ヘッドが普及している。この方式の印字ヘッドを用いたインクジェットプリンタにおける印字方式は、シリアル方式であり、これはパーソナル向けに低価格で提供できることからパーソナル市場に受け入れられてそのプリンタ市場が拡大している。しかしながら、この形式の印字ヘッドは、印字速度がシリアル方式のために遅く、所定の時間内に所定の印刷を行なう必要があるＯＡ機器としては難点がある。さらに、インク吐出が膜沸騰現象を利用しているために、１素子当りの印加電力を極めて多く必要とするため、多数の印字素子を備える必要があるラインヘッド方式には不向きである。
【０００３】
さらに、ピエゾ素子を利用した他の方式としてインク供給部に接続されて並設された多数のインク室の先端に、インク吐出口を有するノズル板を固定し、インク室の圧力を高めてインク吐出口からインク滴を飛翔させるようにしたインクジェットプリンタヘッドがある。このようなインクジェットプリンタヘッドにおいて、インク室のインク圧を高める方法としては、特開昭６３−２４７０５１号公報に開示された技術がある。すなわち、インク室の両側に配列された側壁の少なくとも一部を圧電部材により形成し、その側壁の側面に電極を形成し、この電極に電圧を印加することにより側壁を変形させ、この時の印加電圧の極性により側壁の変形方向を変えることにより、インク室の容積を拡張してインク供給部からインクを吸引したり、インク室の容積を縮小させて内部のインクをインク吐出口から吐出させるものである。このような形状のインクジェットプリンタヘッドを製造する方法は、本出願人により特開平５−２６９９９４号公報に開示されている。この製造方法により製造されたインクジェットプリンタヘッドの構造を図３２乃至図３５に基づいてその製造工程順に従って説明する。
【０００４】
まず、図３３（ａ）に示すように、底板１と下部基板２と圧電部材よりなる上部基板３とからなる三層構造の基板４を形成する。前記底板１は、合成が高く熱変形の少ないセラミックスやガラスを材料としており、前記下部基板２は、エポキシ樹脂を主成分とする接着剤を前記底板１の上に所定の厚さに塗布した後に硬化させて形成する。そして、前記下部基板２の形成に際しては、接着剤を硬化させた後に研削加工を施すことによりその厚さの調整を行う。
【０００５】
次に、前記基板４に対し、前記上部基板３の表面から前記下部基板２の内部に達する複数の溝５を所定の間隔をもって平行に切削加工する。この溝５の切削加工により前記溝５の両側には側壁６が形成され、これらの側壁６は、上部基板３の部分に形成された上部側壁６ａと下部基板２の部分に形成された下部側壁６ｂとよりなる。
【０００６】
次に、前記基板４に対し、無電解メッキにより電極７と配線パターン８とを形成する。この無電解メッキの前処理として、キャタライジング・アクセラレーティング処理を行う。キャタライジング処理は、塩化パラジウム（ＰｄＣｌ２  ）、塩化第一錫（ＳｎＣｌ２  ）、濃塩酸（ＨＣｌ）等からなるキャタリスト液に基板４を浸漬させ、溝５の内面や上部基板３の表面にＰｄ、Ｓｎの錯化物を吸着させる目的で行う。アクセレーティング処理は、キャタライズ処理で吸着された錯化物を触媒化させる目的で行うもので、錯化物は触媒核として金属化されたＰｄとなる。
【０００７】
次いで、図３３（ｂ）に示すように、上部基板３の表面にドライフィルム９を貼り付ける。その後に、図３４（ａ）に示すレジスト用マスク１０をドライフィルム９の上に載せて露光し、次いで、現像を行う。これにより、図３４（ｂ）に示すように、圧電部材の表面における電極７を形成する溝内面と、配線パターン８を形成する配線パターン８部分以外の部分を覆ったパターンレジスト膜１１を形成する。このパターンレジスト膜１１の形成により、金属化されたＰｄが溝５の内面と配線パターン８の部分とに露出する。
【０００８】
次に、パターンレジスト膜１１を形成した基板４をメッキ液に浸漬させて無電解メッキを行い、所定の膜厚をもってメッキを析出させる。メッキ液は、ニッケルを主成分とする。図３５（ａ）に示すように、溝内面に電極７が形成され、配線パターン形成部には配線パターン８が形成される。そして、図３５（ｂ）に示すように、パターンレジスト膜１１を剥離することにより無電解メッキが終了する。
【０００９】
このようにして電極７が形成された基板４に対し、図３２に示すように、溝５の上部を覆う状態で天板１２を接着する。ついで、ノズル板１３を接着するが、基板４と天板１２との先端の端面を平坦にするために、切断加工等の機械加工を行う。前記ノズル板１３は、天板１２で溝５を覆うことにより形成されたインク室１４に連通する複数のインク吐出口１５を備えたものであり、また、前記天板１２には、全ての前記インク室１４に連通するインク供給管１６が設けられ、これにより、インクジェットプリンタヘッドが完成する。
【００１０】
【発明が解決しようとする課題】
ピエゾ素子、すなわち、圧電部材を用いて印字ヘッドを形成した前述の方式のものにおいては、圧電部材に多数の溝をダイサー等の機械加工で各ヘッド毎に切断加工しなければならず、その加工工数が高くてコスト高になる欠点を有している。また、ラインヘッドを構成しようとすれば、さらに多数の溝加工が必要であり、高価なものとなってしまう。しかも、圧電部材により共通液室を形成したり、配線パターンを形成する領域までも圧電部材を用いていることから必要とする圧電部材の容積が大きく、高価な圧電部材の使用量が多いために材料費の面からもコスト高になってしまうものである。
【００１１】
本発明はこのような点に鑑みなされたもので、溝を加工するための機械加工を簡略化することができ、しかも、圧電部材の使用量が少なくて良いインクジェットプリンタヘッドを提供することを目的とする。
【００１２】
【課題を解決するための手段】
請求項１記載の発明は、平板状で矩形状の圧電部材の一面に前後に貫通する一定深さの多数の溝を平行に形成した圧電体アクチュエータを形成し、この圧電体アクチュエータを前記溝に連通して共通液室を形成する凹部を有するヘッド基板に固定し、前記凹部を含む前記ヘッド基板の一面と前記圧電体アクチュエータの溝内とにそれぞれが互いに分離されて平行に配列された電極層による導電部を形成し、前記圧電体アクチュエータと前記ヘッド基板との一面に天板を固定して前記共通液室とインク室とを形成するとともに前記圧電体アクチュエータと前記ヘッド基板との端面に前記インク室に連通するインク吐出口が形成されたノズル板を固定したものである。従って、圧電部材としては、溝によるインク室を形成するための体積だけあれば良いため、必要とする材料の量がきわめて少なくて良く、また、圧電体アクチュエータの形成に当っては、面積の大きな圧電部材に溝加工を行なってからこの溝と直交する方向に圧電部材を切断して多数の圧電体アクチュエータを形成することができ、これにより、一度の溝加工で多数の圧電体アクチュエータを形成することができるため、１個当りの溝加工の工数を低くすることができる。
【００１３】
請求項２記載の発明は、請求項１記載の発明において、フォトエッチングプロセスにより導電部を溝毎に分離した後に圧電体アクチュエータの共通液室側の端面部に被着された電極層をレーザビームで切断分離するようにしたものである。従って、共通液室が安価な材料によるヘッド基板により形成することができるが、この時に発生する電極層のつながりと云う弊害をレーザビームの利用により多数の溝毎に分離して簡単に解決することができる。
【００１４】
請求項３記載の発明は、平板状で矩形状の圧電部材の一面に前後に貫通する一定深さの多数の溝を平行に形成した圧電体アクチュエータと、この圧電体アクチュエータが取り付けられる取付段部と前記溝に連通して共通液室を形成する凹部とを有するヘッド基板と、前記凹部を含む前記ヘッド基板の一面と前記圧電体アクチュエータの溝内とにそれぞれが互いに分離されて平行に配列された電極層による導電部と、前記圧電体アクチュエータと前記ヘッド基板との一面に固定されて前記共通液室とインク室とを形成する天板と、前記インク室に連通するインク吐出口が形成されて前記圧電体アクチュエータと前記ヘッド基板との端面に固定されたノズル板とよりなるものである。従って、高価な材料の圧電部材はインク室を形成する部分だけで良く、ピエゾ効果を必要としない共通液室の形成や、電極層による導電部の形成は、安価な材料によるヘッド基板により行なうことができる。
【００１５】
請求項４記載の発明は、平板状で矩形状の圧電部材の一面に前後に貫通する一定深さの多数の溝を平行に形成した圧電体アクチュエータを形成し、前記溝を等間隔に配列した状態で複数個の前記圧電体アクチュエータを支持基板上に連設固定して長さの大きい圧電体組立を形成し、この圧電体組立を前記溝に連通して共通液室を形成する凹部を有するヘッド基板に固定し、前記凹部を含む前記ヘッド基板の一面と前記圧電体組立の溝内とにそれぞれが互いに分離されて平行に配列された電極層による導電部を形成し、前記圧電体組立と前記ヘッド基板との一面に天板を固定して前記共通液室とインク室とを形成するとともに前記圧電体組立と前記ヘッド基板との端面に前記インク室に連通するインク吐出口が形成されたノズル板を固定したものである。従って、きわめて長い印字ヘッドを小さな圧電部材を用いて形成することができ、必要とする数の印字素子を備えたラインヘッド方式の印字ヘッドを安価に製造することができる。
【００１６】
請求項５記載の発明は、平板状で矩形状の圧電部材の一面に前後に貫通する一定深さの多数の溝を平行に形成した複数個の圧電体アクチュエータを支持基板上に連設固定して形成した長さの大きい圧電体組立と、この圧電体組立が取り付けられる取付段部と前記溝に連通して共通液室を形成する凹部を有するたヘッド基板と、前記凹部を含む前記ヘッド基板の一面と前記圧電体組立の溝内とにそれぞれが互いに分離されて平行に配列された電極層による導電部と、前記圧電体組立と前記ヘッド基板との一面に固定されて前記共通液室とインク室とを形成する天板と、前記インク室に連通するインク吐出口が形成されて前記圧電体組立と前記ヘッド基板との端面に固定されたノズル板とよりなるものである。従って、小さな圧電部材を複数個用いて形成された長い印字ヘッドにより、ラインヘッド方式で消費電力が少ない状態で高速な印字を行なうことができるものである。
【００１７】
【発明の実施の形態】
本発明の第一の実施の形態を図１乃至図２４に基づいて説明する。まず、図１に示すものは、圧電部材１７により形成された圧電体アクチュエータ１８がヘッド基板１９に接着により固定され、かつ、導電部２０が形成されている状態である。前記圧電体アクチュエータ１８は互いに平行に形成された溝２１を有しており、この溝２１の内部には前記導電部２０の一部となる電極２２が形成されている。また、前記ヘッド基板１９には、前記圧電体アクチュエータ１８が取り付けられる取付段部２３と共通液室２４を形成するための凹部２５とが形成されている。この凹部２５は、ヘッド基板１９を平板形状として段部を形成する別部材を接着して前記圧電体アクチュエータ１８との間で形成するようにしてもよい。さらに、前記ヘッド基板１９に前記圧電体アクチュエータ１８が固定された状態においては、前記圧電体アクチュエータ１８の上面２６と前記ヘッド基板１９の上面２７とは同一平面内に位置するように両者の寸法が設定されている。そして、前記導電部２０は前記電極２２から連続させて前記共通液室２４内と前記上面２７とに連続しており、かつ、それぞれの溝２１毎に独立して形成されており、前記ヘッド基板１９の上面２７に位置する前記導電部２０は、外部回路に電気的接続をするための接続部２８とされている。また、前記上面２７には、外部回路を構成する駆動ＩＣ２９が固定されており、この駆動ＩＣ２９と前記接続部２８との間は、ボンディングワイヤ３０により電気的に接続されている。前記圧電体アクチュエータ１８と前記ヘッド基板１９との上面２６，２７には、前記凹部２５と前記溝２１とを覆って前記共通液室２４とインク室３１とを形成する天板３２が固定され、前記圧電体アクチュエータ１８と前記ヘッド基板１９との端面には、前記インク室３１にノズルとして作用するインク吐出口３３を開口させたノズル板３４が接着固定され、これにより、インクジェットプリンタヘッド３５が構成されている。
【００１８】
このようなインクジェットプリンタヘッド３５の製造工程及びその完成品を図４乃至図１４に基づいて説明する。まず、図４に示すように、圧電部材１７は、平板状で矩形状に形成される。例えば、厚さが１．５ｍｍ  で一辺が５０ｍｍの正方形状の圧電部材１７が形成される。その材質としては、ＰＺＴ材であり、ＰｂＴｉＯ３−ＰｂＺｒＯ３系の焼結体からなるセラミック材で熱膨張係数が２〜４×１０￣６／℃のものである。
【００１９】
ついで、図５に示すように、前記圧電部材１７の一面に前後に貫通する所定深さの溝２１が等間隔で平行にダイサー等の加工機により形成される。例えば、１５０ｄｐｉのインクジェットプリンタヘッド３５を得ようとすれば、前記溝２１のピッチは１７０μｍであり、溝幅が９０μｍであり、深さが３００μｍである。
【００２０】
このように溝２１が形成された圧電部材１７は、図６に示すように、溝２１に直交する方向に所定の幅寸法をもって切断加工されて分割される。例えば、８ｍｍの幅の場合には、１枚の圧電部材１７から６個の圧電体アクチュエータ１８が形成される。従って、１回の溝加工により６個の圧電体アクチュエータ１８が形成されるため、圧電体アクチュエータ１８の１個当りの溝加工に要する加工工数の比率はきわめて小さいものとなる。これは圧電体アクチュエータ１８の幅が小さくなれば一層効果的であり、また、量産技術の向上に従って圧電部材１７のサイズを大型化することができれば、さらに、量産効果が増大する。
【００２１】
次に、図７に示すように、ヘッド基板１９に圧電体アクチュエータ１８が接着固定される。すなわち、前記ヘッド基板１９は、パイレックスガラスにより形成される。例えば、硬質ガラスである低膨張ホウケイ酸ガラス（コーニング社、７７４０）が用いられる。これは主成分が、ＳｉＯ２８１％、Ｂ２Ｏ３１３％で熱膨張係数は、３．２×１０￣６／℃で、略ＰＺＴ材と同等である。このようなパイレックスガラスが選択される理由は、その材料が比較的安価であること、ＰＺＴ材による圧電部材１７と熱膨張係数が略等しいこと、加工し易いこと等である。また、インクジェットプリンタヘッド３５として完成させた後には、ヘッド基板１９が透明であるということは、インクの充填状態を外部から観察し易く、製造工程での欠陥検査も容易にできると云う効果を有する。なお、ＰＺＴ材の熱膨張係数は、製造メーカによる組成により若干異なるが、略２〜４×１０￣６／℃である。そして、前記ヘッド基板１９には、前記圧電体アクチュエータ１８が取り付けられる取付段部２３と共通液室２４を形成するための凹部２５とが形成されている。
【００２２】
前記ヘッド基板１９に前記圧電体アクチュエータ１８を固定した状態は、図８に示すものであり、圧電体アクチュエータ１８の上面２６とヘッド基板１９の上面２７とは同一平面内に位置し、かつ、溝２１の底面と凹部２５の底面とが略同一面に位置するように各部の寸法が定められている。
【００２３】
このようにしてヘッド基板１９に圧電体アクチュエータ１８を接着固定した後に、図９に示すように、その一面に無電解メッキ法やスパッタリング等の方法で所定厚さの電極層３６を形成する。例えば、無電解メッキ法の場合には、ニッケルが選択され、スパッタリング法の場合には、アルミニュウムが選択される。そして、その厚さは、１〜４μｍである。
【００２４】
ついで、前述の電極層３６を前述の電極２２及び接続部２８としてパターニングするために、図１０に示すように、通常知られているフォトエッチング工程が実施される。すなわち、フォトレジスト剤３７が塗布されるが、圧電体アクチュエータ１８には溝２１が存するため、通常のスピンコートやロールコータ法を用いると溝２１部分や凹部２５部分に均一に塗布することが困難であるため、図１１に示すように、容器３８内のレジスト液３９に浸漬させて引き上げるディップ引上げ法を採用する。このとき、図示のようにヘッド基板１９を縦にして引き上げることによりフォトレジスト剤３７がパターン形成面に均一に塗布される。但し、フォトレジスト剤３７の粘度や引き上げ速度にも依存するが、溝２１部分は、８０μｍ程度の微小な幅寸法であるため、フォトレジスト剤３７の表面張力によって溝２１の内部に残留してしまうが、この溝２１部分の電極層３６は除去しないので、全く問題はない。
【００２５】
このようにフォトレジスト剤３７を塗布後に、所定の条件でベーキングを行ない、その後に、図１２に示すように、所定のパターン形状を有する露光マスク４０を用いて密着露光を行なう。この場合、ヘッド基板１９に凹部２５が存するために、光学的段差があるが、通常のインク滴を吐出する溝深さは、３００〜４００μｍ程度であるので、通常の光学系と光源とを有する露光装置に用いれば、この程度の段差があっても５〜１０μｍ程度の解像度を有するので、例えば、１５０〜３００ｄｐｉ程度のノズルピッチに対応するリード電極パターンの形成には何ら問題はない。
【００２６】
所定の条件で露光後、現像、エッチング及びレジスト剥離工程を経て図１３に示すように所定の電極パターンが形成される。すなわち、互いに連通した電極２２及び接続部２８による導電部２０が溝２１毎にそれぞれ独立分離されて形成される。
【００２７】
ついで、図１４に示すように、圧電体アクチュエータ１８とヘッド基板１９との上面２６，２７には、凹部２５と溝２１とを覆って共通液室２４とインク室３１とを形成する天板３２が固定され、圧電体アクチュエータ１８とヘッド基板１９との端面には、インク室３１にノズルとして作用するインク吐出口３３を開口させたノズル板３４が接着固定され、これにより、インクジェットプリンタヘッド３５が構成される。なお、天板３２には共通液室２４に連通するインク供給管４１とインク排出管４２とが設けられている。また、特に図示しないが、共通液室２４の両側端部には、閉塞部材が固定されるか、最初から仕切壁が存するように凹部２５が形成されているものである。
【００２８】
つぎに、前述のインクジェットプリンタヘッド３５の製造方法における接着時の問題点と電極形成時の問題点とを解決した手段を図１５〜図１７及び図１８〜図２０に基づいて説明する。まず、図１５〜図１７に示すものは、接着時の問題点及びその問題点を解決した手段を示すものである。図１５は、ヘッド基板１９に圧電体アクチュエータ１８を接着した場合の部分を示すものであるが、接着剤４３の量が多い場合には、ヘッド基板１９と圧電体アクチュエータ１８との接合面に図１５及び図１６に示すように、接着剤４３の盛り上がり部４４が形成されてしまう。この盛り上がり部４４の存在は、インクの流体抵抗を増大させるものであり、しかも、各部位において盛り上がり部４４の状態が相違するため、各インク吐出口１５からのインク吐出量が変動すると云う問題点を有する。この問題を解決するために、図１７に示すように、ヘッド基板１９の取付段部２３のコーナ部にテーパを形成して接着剤収納凹部４５を形成する。この接着剤収納凹部４５の大きさは、溝２１の寸法や接着条件に依存するものであるが、テーパ部分の寸法として０．２ｍｍ  程度が選択される。この場合、接着剤４３の盛り上がりが少ない場合には、多少の段差が生じ、また、リードパターンの接続がスムーズでなくなる欠点があるが、メッキ法やスパッタ法等の電極層３６の形成では、例えば、０．１〜０．３ｍｍ程度の凹みでは問題はない。このように接着剤収納凹部４５を形成することにより、製造の管理幅を緩くすることができ、また、インク滴の吐出のバラツキを低減することができる。
【００２９】
次いで、インクジェットプリンタヘッド３５の製造方法における電極形成時の問題点を解決した手段を図１８〜図２０に基づいて説明する。電極層３６を所定のパターニングをもって除去する工程を終了した場合に、図１８に示すように、溝２１を形成している側壁４６の端面部分に電極層３６の除去不良が生じ易い。これは、露光時にこの部分には照射光が当りにくいためである。これにより、隣合う電極２２が導通してしまうためにこの部分は完全に分離しなければならない。このような不良の発生を解消するためには、図１９に示すように、ヘッド基板１９を傾けてレーザビームでこの基部を照射することにより、図２０に示すように電極層３６を分離する。この電極層３６の分離は、例えば、ＹＡＧレーザを用いてパルス発振させ、１０〜２０ｍＪ／Ｐでパルス幅５〜１０ｎｓ程度の出力の連続したパルスビームで切断することができる。
【００３０】
前述の実施の形態においては、溝２１部の電極２２に印加される電圧が、図２１に示す状態である場合には、隣接する側壁４６の先端部分が移動するように変形し、この側壁４６の変形に基づくインク室３１の容積変化によりインク吐出口３３からインク滴が吐出する。そのため、圧電体アクチュエータ１８と天板３２とを固定する接着剤は、側壁４６の先端部分の変形を許容できるように、ゴム系の弾性のある接着剤であることが必要である。
【００３１】
つぎに、本発明の実施の形態の変形例を図２２〜図２４に基づいて説明する。前述の実施の形態における圧電体アクチュエータ１８は、一枚のもので形成されていたものであるが、本変形例では、二枚の圧電部材１７を接着して一枚の圧電体アクチュエータ１８とし、かつ、それぞれの圧電部材１７で分極方向を逆にしたものである。そのため、図２４に示すように、溝２１部の電極２２に電圧を印加すると、側壁４６の中間部、すなわち、二枚の圧電部材１７の接着部分が移動するように変形する。そのため、側壁４６の先端部と天板３２との接着部分を強固に固定的に接着してもその駆動が可能になる。
【００３２】
本発明の第二の実施の形態を図２５乃至図３１に基づいて説明する。本実施の形態においては、基本的には第一の実施の形態と同様であるため、同一部分は同一符号を用いてその説明も省略するが、前述の圧電体アクチュエータ１８に変えて圧電体組立４７を用い、これにより、長手方向の寸法がきわめて長いラインプリンタヘッドを形成しているものである。すなわち、全体的な形状は、後述する圧電体組立４７がヘッド基板１９に固定され、このヘッド基板１９がヘッド固定台４８に固定されているとともに、このヘッド固定台４８には、駆動ＩＣ２９、回路部品４９、コネクタ５０を備えた回路基板５１が固定されているものである。
【００３３】
しかして、図２７に示すように、例えば、幅方向４０ｍｍ、長さ方向５５ｍｍで厚さ２ｍｍの正方形状の４枚の圧電部材１７とパイレックスガラス等により形成された細長い支持基板５２とを準備する。そして、図２８に示すように、支持基板５２の一面に圧電部材１７をそれぞれ密着させて連設状態に固定する。
【００３４】
ついで、図２９に示すように、一定の間隔で多数の溝２１を機械加工により形成する。この場合、各圧電部材１７の接合境界部が溝２１部分に位置するように、それぞれの圧電部材１７の寸法を管理する。この状態は、図３０に拡大して示す。例えば、１５０ｄｐｉの印字密度に対応する溝ピッチを１６９μｍとし、かつ、溝幅を８０μｍ、深さを４００μｍでダイサーを用いて加工を行なう。そして、印字幅を８．５  インチとすると、１枚当りの印字幅は、８．５／４＝２．１２５インチで３１９個／枚の溝２１を形成することになる。例えば、１枚当り３２０個の溝２１を形成するとすると、３２０×１６９μｍ＝５４０．８９  ｍｍとなり、この数値を考慮して圧電部材１７の長さを設定して各圧電部材１７の接合境界部が溝２１部分に位置するようにする。このように溝２１を形成した後に、図３１に示すように、溝２１と直交する方向に切断して、例えば４個の圧電体組立４７を形成する。
【００３５】
【発明の効果】
請求項１記載の発明は、平板状で矩形状の圧電材料の一面に前後に貫通する一定深さの多数の溝を平行に形成した圧電体アクチュエータを形成し、この圧電体アクチュエータを前記溝に連通して共通液室を形成する凹部を有するヘッド基板に固定し、前記凹部を含む前記ヘッド基板の一面と前記圧電体アクチュエータの溝内とにそれぞれが互いに分離されて平行に配列された電極層による導電部を形成し、前記圧電体アクチュエータと前記ヘッド基板との一面に天板を固定して前記共通液室とインク室とを形成するとともに前記圧電体アクチュエータと前記ヘッド基板との端面に前記インク室に連通するインク吐出口が形成されたノズル板を固定したので、圧電部材としては、溝によるインク室を形成するための体積だけあれば良いため、必要とする材料の量がきわめて少なくて良く、また、圧電体アクチュエータの形成に当っては、面積の大きな圧電部材に溝加工を行なってからこの溝と直交する方向に圧電部材を切断して多数の圧電体アクチュエータを形成することができ、これにより、一度の溝加工で多数の圧電体アクチュエータを形成することができるため、１個当りの溝加工の工数を低くすることができると云う効果を有する。
【００３６】
請求項２記載の発明は、請求項１記載の発明において、フォトエッチングプロセスにより導電部を溝毎に分離した後に圧電体アクチュエータの共通液室側の端面部に被着された電極層をレーザビームで切断分離するようにしたので、共通液室が安価な材料によるヘッド基板により形成することができるが、この時に発生する電極層のつながりと云う弊害をレーザビームの利用により多数の溝毎に分離して簡単に解決することができると云う効果を有する。
【００３７】
請求項３記載の発明は、平板状で矩形状の圧電材料の一面に前後に貫通する一定深さの多数の溝を平行に形成した圧電体アクチュエータと、この圧電体アクチュエータが取り付けられる取付段部と前記溝に連通して共通液室を形成する凹部とを有するヘッド基板と、前記凹部を含む前記ヘッド基板の一面と前記圧電体アクチュエータの溝内とにそれぞれが互いに分離されて平行に配列された電極層による導電部と、前記圧電体アクチュエータと前記ヘッド基板との一面に固定されて前記共通液室とインク室とを形成する天板と、前記インク室に連通するインク吐出口が形成されて前記圧電体アクチュエータと前記ヘッド基板との端面に固定されたノズル板とよりなるので、高価な材料の圧電部材はインク室を形成する部分だけで良く、ピエゾ効果を必要としない共通液室の形成や、電極層による導電部の形成は、安価な材料によるヘッド基板により行なうことができると云う効果を有する。
【００３８】
請求項４記載の発明は、平板状で矩形状の圧電材料の一面に前後に貫通する一定深さの多数の溝を平行に形成した圧電体アクチュエータを形成し、前記溝を等間隔に配列した状態で複数個の前記圧電体アクチュエータを支持基板上に連設固定して長さの大きい圧電体組立を形成し、この圧電体組立を前記溝に連通して共通液室を形成する凹部を有するヘッド基板に固定し、前記凹部を含む前記ヘッド基板の一面と前記圧電体組立の溝内とにそれぞれが互いに分離されて平行に配列された電極層による導電部を形成し、前記圧電体組立と前記ヘッド基板との一面に天板を固定して前記共通液室とインク室とを形成するとともに前記圧電体組立と前記ヘッド基板との端面に前記インク室に連通するインク吐出口が形成されたノズル板を固定したので、きわめて長い印字ヘッドを小さな圧電部材を用いて形成することができ、必要とする数の印字素子を備えたラインヘッド方式の印字ヘッドを安価に製造することができると云う効果を有する。
【００３９】
請求項５記載の発明は、平板状で矩形状の圧電材料の一面に前後に貫通する一定深さの多数の溝を平行に形成した複数個の圧電体アクチュエータを支持基板上に連設固定して形成した長さの大きい圧電体組立と、この圧電体組立が取り付けられる取付段部と前記溝に連通して共通液室を形成する凹部とを有するヘッド基板と、前記凹部を含む前記ヘッド基板の一面と前記圧電体組立の溝内とにそれぞれが互いに分離されて平行に配列された電極層による導電部と、前記圧電体組立と前記ヘッド基板との一面に固定されて前記共通液室とインク室とを形成する天板と、前記インク室に連通するインク吐出口が形成されて前記圧電体組立と前記ヘッド基板との端面に固定されたノズル板とよりなるので、小さな圧電部材を複数個用いて形成された長い印字ヘッドにより、ラインヘッド方式で消費電力が少ない状態で高速な印字を行なうことができると云う効果を有する。
【図面の簡単な説明】
【図１】本発明の実施の第一の形態を示すもので、ヘッド基板に圧電体アクチュエータを接着固定した状態の斜視図である。
【図２】圧電体アクチュエータの正面図である。
【図３】インクジェットプリンタヘッドの縦断側面図である。
【図４】圧電部材の斜視図である。
【図５】圧電部材の一面に溝加工をした状態の斜視図である。
【図６】溝加工後に切断して圧電体アクチュエータを形成した状態の斜視図である。
【図７】ヘッド基板と圧電体アクチュエータとの関係を示す分解斜視図である。
【図８】ヘッド基板に圧電体アクチュエータを接着固定した状態の側面図である。
【図９】電極層を形成した状態を示すもので、（ａ）は側面図、（ｂ）は正面図である。
【図１０】レジスト膜を塗布した状態を示すもので、（ａ）は側面図、（ｂ）は正面図である。
【図１１】ディップ引き上げによりレジスト塗布を行なっている状態の側面図である。
【図１２】露光マスクを用いて密着露光している状態の側面図である。
【図１３】パターニングされた導電部が形成された状態の斜視図である。
【図１４】完成したインクジェットプリンタヘッドを示す斜視図である。
【図１５】ヘッド基板に圧電体アクチュエータを接着した時の接着剤の状態を示す部分断面図である。
【図１６】その部分の斜視図である。
【図１７】接着剤収納凹部を形成した状態の部分断面図である。
【図１８】電極膜形成時の不良状態を示す一部の斜視図である。
【図１９】電極膜の一部を除去する作業状態を示す側面図である。
【図２０】電極膜を分離した状態の一部の斜視図である。
【図２１】電極への電圧印加により側壁が変形した状態を示す一部の縦断正面図である。
【図２２】本発明の第一の実施の形態の変形例を示すもので、分極方向を逆にした二枚の圧電部材により形成した圧電体アクチュエータの正面図である。
【図２３】その圧電体アクチュエータをヘッド基板に接着固定した状態の側面図である。
【図２４】電極への電圧印加により側壁が変形した状態を示す一部の縦断正面図である。
【図２５】本発明の第二の実施の形態を示す一部を切り欠いた斜視図である。
【図２６】その縦断側面図である。
【図２７】複数個の圧電部材と一枚の支持基板との関係を示す分解斜視図である。
【図２８】複数個の圧電部材を一枚の支持基板に接着固定した状態の斜視図である。
【図２９】溝を形成した状態の斜視図である。
【図３０】圧電部材の接合部と溝との関係を示す部分斜視図である。
【図３１】溝加工後に切断して圧電体組立を形成した状態の斜視図である。
【図３２】従来の完成したインクジェットプリンタヘッドの斜視図である。
【図３３】従来のインクジェットプリンタヘッドの製造過程を示すもので、（ａ）は基板に対して溝加工を施した状態の斜視図、（ｂ）はドライフィルムを貼り付けた状態の斜視図である。
【図３４】従来のインクジェットプリンタヘッドの製造過程を示すもので、（ａ）は基板とレジスト用マスクの斜視図、（ｂ）は基板の表面にパターンレジスト膜を形成した状態の斜視図である。
【図３５】従来のインクジェットプリンタヘッドの製造過程を示すもので、（ａ）は無電解メッキにより配線パターンと電極とを形成した状態の斜視図、（ｂ）はパターンレジスト膜を剥離した状態の斜視図である。
【符号の説明】
１７      圧電部材
１８      圧電体アクチュエータ
１９      ヘッド基板
２０      導電部
２１      溝
２３      取付段部
２４      共通液室
２５      凹部
３１      インク室
３２      天板
３３      インク吐出口
３４      ノズル板
３６      電極層
４７      圧電体組立
５２      支持基板
【図１】
0003575728.tif 000002
【図２】
0003575728.tif 000003
【図３】
0003575728.tif 000004
【図４】
0003575728.tif 000005
【図５】
0003575728.tif 000006
【図６】
0003575728.tif 000007
【図７】
0003575728.tif 000008
【図８】
0003575728.tif 000009
【図９】
0003575728.tif 000010
【図１０】
0003575728.tif 000011
【図１１】
0003575728.tif 000012
【図１２】
0003575728.tif 000013
【図１３】
0003575728.tif 000014
【図１４】
0003575728.tif 000015
【図１５】
0003575728.tif 000016
【図１６】
0003575728.tif 000017
【図１７】
0003575728.tif 000018
【図１８】
0003575728.tif 000019
【図１９】
0003575728.tif 000020
【図２０】
0003575728.tif 000021
【図２１】
0003575728.tif 000022
【図２２】
0003575728.tif 000023
【図２３】
0003575728.tif 000024
【図２４】
0003575728.tif 000025
【図２５】
0003575728.tif 000026
【図２６】
0003575728.tif 000027
【図２７】
0003575728.tif 000028
【図２８】
0003575728.tif 000029
【図２９】
0003575728.tif 000030
【図３０】
0003575728.tif 000031
【図３１】
0003575728.tif 000032
【図３２】
0003575728.tif 000033
【図３３】
0003575728.tif 000034
【図３４】
0003575728.tif 000035
【図３５】
0003575728.tif 000036